(57)【要約】【課題】スラットの角度を変化させることにより、異なる色相を知覚し得るブラインドを提供する。【解決手段】観察角度の変化により異なる色相を知覚可能とした偏光塗料をスラット３に塗布した。【選択図】図１
2008088674.tif 000002
【特許請求の範囲】
【請求項１】
観察角度の変化により異なる色相を知覚可能とした偏光塗料をスラットに塗布したことを特徴とするブラインド。
【請求項２】
観察角度の変化により異なる色相を知覚可能とした同一の偏光塗料を全スラットに塗布したことを特徴とする横型ブラインド。
【請求項３】
観察角度の変化により異なる色相を知覚可能とした偏光塗料を断面山形のスラットに塗布したことを特徴とする横型ブラインド。
【請求項４】
複数種類の偏光塗料を前記スラットに塗布したことを特徴とする請求項３記載の横型ブラインド。
【請求項５】
前記スラットには、上下方向に複数段ずつ同一の偏光塗料を塗布したことを特徴とする請求項４記載の横型ブラインド。
【請求項６】
共通の操作手段の操作により、異なる回動速度で回動されるスラットに、観察角度の変化により異なる色相を知覚可能とした偏光塗料を塗布したことを特徴とする縦型ブラインド。
【発明の詳細な説明】
【技術分野】
【０００１】
この発明は、スラットの回動により色相が変化するブラインドに関するものである。
【背景技術】
【０００２】
従来、色相の異なるスラットを備えた横型ブラインドが種々提案されている。これらは、多数段のスラットに異なる色相の塗料を塗布して、スラットの表裏で種々の色彩、模様を得るようにしたものである。
【０００３】
特許文献１には、スラットの表面にアルミニウム等の反射性微小金属片を含む着色塗料層を形成し、さらに雲母粒子を含む透明または半透明材料の表面層を形成した横型ブラインドが開示されている。
【０００４】
このようなブラインドでは、スラットの角度の変化、あるいは居住者の位置によって異なる色彩及び輝きが見られる。
【特許文献１】実公昭６３−２９１２０号公報
【発明の開示】
【発明が解決しようとする課題】
【０００５】
多数段のスラットに異なる色相の塗料を塗布した横型ブラインドでは、スラットの角度の変化によってスラット表面の色彩を変化させることはできない。
特許文献１に記載された横型ブラインドでは、居住者が見る角度によって色相が大きく変化するものではなく、スラットの角度の変化により異なる意匠を提供することはできない。
【０００６】
この発明の目的は、スラットの角度を変化させることにより、異なる色相を知覚し得るブラインドを提供することにある。
【課題を解決するための手段】
【０００７】
請求項１では、観察角度の変化により異なる色相を知覚可能とした偏光塗料をスラットに塗布した。
請求項２では、観察角度の変化により異なる色相を知覚可能とした同一の偏光塗料を横型ブラインドの全スラットに塗布した。
【０００８】
請求項３では、観察角度の変化により異なる色相を知覚可能とした偏光塗料を横型ブラインドの断面山形のスラットに塗布した。
請求項４では、複数種類の偏光塗料を前記スラットに塗布した。
【０００９】
請求項５では、前記スラットには、上下方向に複数段ずつ同一の偏光塗料を塗布した。
請求項６では、共通の操作手段の操作により、異なる回動速度で回動される縦型ブラインドのスラットに、観察角度の変化により異なる色相を知覚可能とした偏光塗料を塗布した。
【発明の効果】
【００１０】
本発明によれば、スラットの角度を変化させることにより、異なる色相を知覚し得るブラインドを提供することができる。
【発明を実施するための最良の形態】
【００１１】
（第一の実施の形態）
以下、この発明を横型ブラインドに具体化した一実施の形態を図面に従って説明する。図１（ａ）（ｂ）に示す横型ブラインドは、ヘッドボックス１から垂下される複数本のラダーテープ２に多数段のスラット３が吊下支持される。スラット３は、アルミの薄板を湾曲させた公知の形状である。
【００１２】
また、ラダーテープ２の近傍でヘッドボックス１から吊下支持される昇降コード４が各スラット３に貫通され、その昇降コード４の下端にボトムレール５が吊下支持されている。
【００１３】
前記ヘッドボックスの一端には、角度調節コード６及び昇降操作コード７が垂下され、角度調節コード６の操作により各スラット３を角度調節可能であり、昇降操作コード７の操作によりボトムレール５を昇降してスラット３を昇降可能となっている。
【００１４】
前記各スラット３の表面には、同一の偏光塗料が塗布されている。この偏光塗料は、顔料として二酸化ケイ素（SiO２）に酸化チタン（TiO２）を被覆した公知のものであり、透明性を備えている。
【００１５】
光には、同じ物質の中では直進し、異なる物質に当たるとその面で屈折する性質がある。この性質を利用したのがこの塗料で、顔料に入射した光は酸化チタンの表面や二酸化ケイ素の表面で反射され、干渉波長を発生させる。観察角度が変わることで発生する干渉波長が変化し、異なった色相を生み出す。
【００１６】
この実施の形態で塗布される塗料は、スラット３の表面に対し直交する方向、すなわち９０度方向から観察したとき、dark greenish gray（色相Ｈ＝８．４８ＧＹ、明度Ｖ＝３．３４、彩度Ｃ＝１．１９）に知覚される。
【００１７】
また、７５度では色相の異なるdark purplish gray（色相Ｈ＝２．２８Ｐ、明度Ｖ＝３．８６、彩度Ｃ＝０．７７）に知覚され、６０度ではvery light purple（色相Ｈ＝７．９２Ｐ、明度Ｖ＝９．０１、彩度Ｃ＝７．３２）に知覚される。
【００１８】
４５度ではpurplish white（色相Ｈ＝１．７５Ｐ、明度Ｖ＝９．７７、彩度Ｃ＝０．８５）に知覚され、１５度ではmoderate pink（色相Ｈ＝４．７０Ｒ、明度Ｖ＝７．７８、彩度Ｃ＝５．４９）に知覚される。
【００１９】
図１（ａ）（ｂ）に示すように、スラット３を全閉状態としても、各スラット３は垂直方向にはならず、鉛直線に対し傾斜した角度でラダーテープ２に支持されている。従って、図１に示すブラインドの正面と、図３に示すブラインドの背面では、スラット３を見る角度が異なるため、全閉状態とした横型ブラインドの正面と背面とが異なる色相となる。
【００２０】
そして、図１（ａ）（ｂ）に示す全閉状態においてブラインドの正面では、スラット３が上下方向に湾曲していることから、図２に示すように、スラット３の下部はdark greenish grayとなり、中間部でdark greenish grayからdark purplish grayに変化する。上部はdark greenish gray部分より狭い幅でdark purplish grayとなる。
【００２１】
また、同様な全閉状態においてブラインドの背面では、図３に示すように、スラット３の上部がdark purplish grayとなり、スラット３の下部がdark purplish gray部分より狭い幅でdark greenish grayとなる。
【００２２】
従って、ブラインドを正面視で観察したときは、全体として８ＧＹ付近の緑色が優勢となる色相が知覚される。また、背面視で観察したときは各スラット３下部のdark greenish grayとして知覚される部分の一部が、直下のスラット３上部（dark purplish grayとして知覚される部分）で覆われるため、全体として８ＧＹとは色相環のほぼ対向側に位置する２Ｐ付近の紫色が優勢として知覚される。
【００２３】
図４は、図１（ａ）に示す全閉状態からやや水平方向に回動させた状態を示す。この状態では、図５に示すように、スラットの下部が僅かにdark greenish grayとなり、残りの殆どの部分がdark purplish grayとなる。
【００２４】
上記のような偏光塗料をスラットに塗布した横型ブラインドでは、次に示す作用効果を得ることができる。
（１）すべてのスラット３に同一の偏光塗料を塗布することにより、スラットの角度に応じた異なる色相を知覚することができる。
（２）すべてのスラット３に同一の偏光塗料を塗布することにより、ブラインドの正面と背面で異なる色相を知覚することができる。
（第二の実施の形態）
図６及び図７は、第二の実施の形態を示す。この実施の形態は、断面山形のスラットに偏光塗料を塗布したものである。
【００２５】
多数段のスラット８のうち、上段部９ａと、中段部９ｂと、下段部９ｃとでは異なる色相を知覚可能とした偏光塗料が塗布される。
上段部９ａのスラット８の表裏両面に塗布される第一の塗料は、スラット８の表面に対し直交する方向を９０度方向としたとき、９０度±約１５度の範囲で緑色が知覚され、９０度±約４５度を超える範囲では黄色が知覚される。
【００２６】
中段部９ｂのスラット８の表裏両面に塗布される第二の塗料は、９０度±約１５度の範囲で第一の塗料と同様に緑色が知覚され、９０度±約４５度を超える範囲では青色が知覚される。
【００２７】
下段部９ｃのスラット８の表裏両面に塗布される第三の塗料は、９０度±約１５度の範囲で第一の塗料と同様に緑色が知覚され、９０度±約４５度を超える範囲では紫色が知覚される。
【００２８】
このような横型ブラインドでは、図６（ａ）（ｂ）に示すように、各スラット８の半面が垂直方向となる全閉状態とすれば、最上段のスラット８の上半面を除いて、前記スラット８が緑色に知覚される。
【００２９】
また、図７（ａ）（ｂ）に示すように、各スラット８が山形となるように回動させると、上段部９ａのスラット８は黄色に知覚され、中段部９ｂのスラット８は青色に知覚され、下段部９ｃのスラット８は紫色に知覚される。
【００３０】
従って、各スラット８の回動操作に基づいて、各スラット８を同一の色相として知覚可能とする状態と、３種類の色相を知覚可能とする状態とを選択することができる。
（第三の実施の形態）
図８及び図９は、第三の実施の形態を示す。この実施の形態は、縦型ブラインドのスラットに偏光塗料を塗布したものである。
【００３１】
図８に示す縦型ブラインドは、ハンガーレール１０の一端から垂下される操作コード１１の操作により各スラットを回動操作可能であり、１枚おきのスラット１２ａとそのスラット１２ａ間のスラット１２ｂとが異なる速度で回動されるようになっている。
【００３２】
このような角度調節機構は、各スラット１２ａ，１２ｂを支持するランナーに配設されるギヤ機構のギヤ比を変更することにより実現される。
各スラット１２ａ，１２ｂの表裏両面には同一の偏光塗料が塗布されている。その塗料は、スラット８の表面に対し直交する方向、すなわち９０度方向から観察したときstrong olive green（色相Ｈ＝５．２２ＧＹ、明度Ｖ＝２．９６、彩度Ｃ＝１０．２８）が知覚され、７５度ではlight green（色相Ｈ＝６．４９Ｇ、明度Ｖ＝６．９２、彩度Ｃ＝４．５）が知覚されて、これらの角度の範囲でほぼ緑色となる。
【００３３】
また、４５度ではpurplish white（色相Ｈ＝１．８７Ｐ、明度Ｖ＝９．７７、彩度Ｃ＝０．９４）が知覚され、１５度ではbrilliant blue（色相Ｈ＝２．２２ＰＢ、明度Ｖ＝６．３３、彩度Ｃ＝１１．２９）が知覚されて、これらの角度の範囲でほぼ青紫色となる。
【００３４】
このように構成された縦型ブラインドでは、図９（ａ）（ｂ）に示すように、回動速度の速いスラット１２ｂがハンガーレール１０に沿う方向に回動され、回動速度の遅いスラット１２ａがハンガーレール１０に対し４５度の方向に回動されると、スラット１２ａ，１２ｂが異なる色相で知覚される。従って、スラット１２ａ，１２ｂが縦方向の縞模様として知覚される。
【００３５】
また、図８（ａ）（ｂ）に示すように、スラット１２ａ，１２ｂをハンガーレール１０とほぼ平行となるように回動させれば、各スラット１２ａ，１２ｂは同一の色相で知覚される。
【００３６】
従って、この実施の形態の縦型ブラインドでは、スラット１２ａ，１２ｂの角度を調節することにより、スラット１２ａ，１２ｂで２種類の異なる色相による縦方向の縞模様を知覚可能とする状態と、同一の色相を知覚可能とする状態を選択することができる。
【００３７】
上記実施の形態は、以下の態様で実施してもよい。
・第一の実施の形態において、各スラット３に複数種類の偏光塗料を塗布してもよい。
・第二の実施の形態において、全スラット８に同一の偏光塗料を塗布してもよい。
【図面の簡単な説明】
【００３８】
【図１】（ａ）（ｂ）は第一の実施の形態の横型ブラインドの全閉状態を示す正面図及び側面図である。
【図２】スラットを全閉状態としたときのスラットの色相を示す正面図である。
【図３】第一の実施の形態の横型ブラインドの全閉状態を示す背面図である。
【図４】第一の実施の形態の横型ブラインドのスラットを回動させた状態を示す正面図である。
【図５】第一の実施の形態のスラットを回動させたときのスラットの色相を示す正面図である。
【図６】（ａ）（ｂ）は第二の実施の形態を示す正面図及び側面図である。
【図７】（ａ）（ｂ）は第二の実施の形態のスラットを回動させた状態を示す正面図及び側面図である。
【図８】（ａ）（ｂ）は第三の実施の形態を示す正面図及び平面図である。
【図９】（ａ）（ｂ）は第三の実施の形態のスラットを全閉状態とした状態を示す正面図及び平面図である。
【符号の説明】
【００３９】
３，８，１２ａ，１２ｂ…スラット。
【図１】
2008088674.tif 000003
【図２】
2008088674.tif 000004
【図３】
2008088674.tif 000005
【図４】
2008088674.tif 000006
【図５】
2008088674.tif 000007
【図６】
2008088674.tif 000008
【図７】
2008088674.tif 000009
【図８】
2008088674.tif 000010
【図９】
2008088674.tif 000011